(57)【要約】【課題】空気を充填した袋体内にＬＥＤ等の装飾体を収納することが可能な密閉機構の提供。【解決手段】本発明は、密閉される収容物を分割した一対の分割本体とリング袋１１０と、リング部材１２０を備える密閉機構１００である。リング袋１１０は、上記一対の分割本体の開放端部に設けられるリング形状の袋であり、リング部材１２０は、上記リング袋１１０内に挿入されるテープ状の剛性部材である。そして、上記一対の分割本体に設けられるリング袋１１０同士が嵌合連結することで、リング袋１１０内のリング部材１２０同士が伸び縮みし分割本体同士を密閉する。【選択図】図１
2015231487.tif 000002
【特許請求の範囲】
【請求項１】
密閉される収容物を分割した一対の分割本体と、
前記分割本体に備える空気送入口と、
前記一対の分割本体の開放端部に設けられるリング形状のリング袋と、
前記リング袋内に挿入される薄厚テープ状の剛性リング部材とを備え、
前記一対の分割本体に設けられるリング袋同士が嵌合連結することで、前記空気送入口から送入される気体の内部圧力により、該リング袋内のリング部材同士の重なり部がずれて、分割本体同士を密閉する密閉機構。
【請求項２】
前記一対の分割本体が、ボール形状の分割ボール本体である、請求項１に記載の密閉機構。
【請求項３】
リング袋を分割ボール本体の内側開放端部に設けた内側分割ボール本体と、リング袋を分割ボール本体の外側開放端部に設けた外側分割ボール本体とを備え、
一方の分割ボール本体の内壁とリング袋間に設けた隙間に、他方の分割ボール本体のリング袋を挿入することで、該分割ボール本体同士が密閉する請求項２に記載の密閉機構。
【請求項４】
リング袋を分割ボール本体の内側開放端部に設けた、一対の内側分割ボール本体と、
筒状体の上下に前記リング袋を設けた筒状嵌合部材とを備え、
前記筒状嵌合部材を収容した状態で各分割ボール本体の開放端同士を合わせ、前記分割ボール本体の内壁とリング袋間に設けた隙間に、前記筒状環状部材のング袋を挿入することで、該分割ボール本体同士が密閉する請求項２に記載の密閉機構。
【請求項５】
リング袋を分割ボール本体の外側開放端部に設けた、一対の外側分割ボール本体と、
筒状体の上下に前記リング袋を設けた筒状嵌合部材とを備え、
各分割ボール本体の開放端同士を合わせ、外側に備えた前記筒状嵌合部材により、前記分割ボール本体の内壁とリング袋間に設けた隙間に、前記筒状嵌合部材のリング袋を挿入することで、該分割ボール本体同士が密閉する請求項２に記載の密閉機構。
【請求項６】
請求項1から５いずれか一項に記載したエア密閉機構を備えたボール型収容品。
【請求項７】
前記収容品内に収容される装飾体を固定する固定具を前記収容品内に備える、請求項６に記載のボール型収容品。
【請求項８】
前記エア収容品内に駆動手段を備える、請求項６または７に記載のボール型収容品。
【請求項９】
請求項1から５いずれか一項に記載したエア密閉機構を備えた遊具。
【発明の詳細な説明】
【技術分野】
【０００１】
本発明は、密閉機構に関する。特に、内部に空気を充填して遊ぶことのできる密閉機構及び該密閉機構を備えた収容品に関する。
【背景技術】
【０００２】
空気を充填した弾性遊具内にＬＥＤのような光源を挿入して光るボールは知られている。例えば、下記特許文献１には、上記ボールの一例が開示されている。
【先行技術文献】
【特許文献】
【０００３】
【特許文献１】特開２００６―３４６１００号公報
【特許文献２】特開２００８−１４８９３８号公報
【発明の概要】
【発明が解決しようとする課題】
【０００４】
ＬＥＤのような発光体をボールに取り付けるには特許文献1に開示のように、ボール表面に固定する方法が多い。また、発光体を内部に収容する場合は、特許文献２に開示のように、ゴルフボールのような硬めのボールを使用するのが通常の方法であり、エアで膨らませるようなボールに使用するという発想は無かった。
もちろん、ＬＥＤではなく、蛍光塗料を塗布した発光体であれば、エアで膨らませるボールに挿入することはある。この場合は、ボールに取り付けた袋部に、蛍光塗料を塗布した棒等の発光体（発光棒）を挿入することになる。ボールの使用により上記発光棒が抜けて落下すると、ユーザが再度挿入すればよいだけである、発光棒は比較的低価格なので、スペアをたくさん準備することができるからである。
【０００５】
これに対してＬＥＤは上記発光棒と比較しても高価であるので、通常はスペアを用意しない。従って、上記のように棒を挿入するタイプのボールでは、ＬＥＤがボールから落下して故障すると再度ＬＥＤを購入する必要がある。従って、ＬＥＤのような発光体は、ボール内部に収容する必要がある。しかしながら、ＬＥＤを収容するための出入り口を形成すると、空気の漏れが生じやすくなる。従って、上記ＬＥＤを何度も入れ替えることのできるエア装飾品（ボール）はなかった。
【０００６】
一方エアで膨らませるボールは透明や薄い色で作成されることも多く、光源が中にあると装飾効果も高いのでユーザの需要が高い。及びＬＥＤのような光源により装飾されたエアボールの需要は更に高い。本発明の目的は、ユーザが何度でもＬＥＤの入れ替えがカンタに出来るエア装飾品を提供することにある。
【課題を解決するための手段】
【０００７】
上記課題を解決するための本発明は、密閉される収容物を分割した一対の分割本体とリング袋と、リング部材を備える密閉機構である。リング袋は、上記一対の分割本体の開放端部に設けられるリング形状の袋であり、分割本体は空気送入口を備える。リング部材は、上記リング袋内に挿入される薄厚のテープ状の剛性部材である。そして、上記一対の分割本体に設けられるリング袋同士が嵌合連結することで、リング袋内のリング部材同士の重なり部がずれて（伸び縮みし）、分割本体同士を密閉する。上記一対の分割本体をボール形状の分割ボール本体とすることができる。この機構によれば、上記剛性リング部材が袋内で伸び縮みして、嵌合することで、空気送入口から送入される気体の内部圧力により、リング袋内のリング部材同士が伸び縮みし、分割本体同士を密閉することが出来る。従って、ＬＥＤのような装飾品を何度も交換可能な収容品を構成することができる。
【０００８】
更に、リング袋を分割ボール本体の内側開放端部に設けた内側分割ボール本体と、リング袋を分割ボール本体の外側開放端部に設けた外側分割ボール本体とを備える密閉機構を構成することが出来る。一方の分割ボール本体の内壁とリング袋間に設けた隙間に、他方の分割ボール本体のリング袋を挿入することで、上記分割ボール本体同士が密閉する密閉機構である。
【０００９】
リング袋を分割ボール本体の内側開放端部に設けた、一対の内側分割ボール本体と、筒状体の上下に前記リング袋を設けた筒状嵌合部材とを備える密閉機構を構成できる。上記筒状嵌合部材を収容した状態で各分割ボール本体の開放端同士を合わせ、上記分割ボール本体の内壁とリング袋間に設けた隙間に、上記筒状環状部材のング袋を挿入することで、分割ボール本体同士が密閉する密閉機構である。
【００１０】
リング袋を分割ボール本体の外側開放端部に設けた、一対の外側分割ボール本体と、筒状体の上下に前記リング袋を設けた筒状嵌合部材とを備える密閉機構を構成できる。各分割ボール本体の開放端同士を合わせ、外側に備えた前記筒状嵌合部材により、前記分割ボール本体の内壁とリング袋間に設けた隙間に、前記筒状嵌合部材のリング袋を挿入することで、分割ボール本体同士が密閉する密閉機構である。
上記密閉機構を備えたボール型収容品を形成することが可能であり、上記ボール型収容品に上記収容品内に収容される装飾体を固定する固定具を備えてもよい。上記エア収容品内に駆動手段を備えるボール型収容品を形成してもよい。上記密閉機構を備えた遊具を設けることもできる。
【発明の効果】
【００１１】
本発明は、密閉される収容物を分割した一対の分割本体とリング袋と、リング部材を備える密閉機構である。リング袋は、上記一対の分割本体の開放端部に設けられるリング形状の袋であり、リング部材は、上記リング袋内に挿入されるテープ状の部材である。そして、上記一対の分割本体に設けられるリング袋同士が嵌合連結することで、リング袋内のリング部材同士が嵌合し分割本体同士が密閉する。上記一対の分割本体をボール形状の分割ボール本体とすることができる。この機構によれば、予め形成した空気送入口から空気を送ることができる。従って、ＬＥＤのような装飾品を何度も交換可能な収容品を構成することができる。
【図面の簡単な説明】
【００１２】
【図１】本発明の実施形態に係るボール型収容品の全体構成を示す正面断面図である。
【図２】本発明の実施形態に係るボール型収容品の分割本体の全体構成を示す正面断面図である。
【図３】本発明の実施形態に係るリング部材の全体構成を示す正面図、斜視図である。
【図４】本発明の実施形態に係るボール型収容品の全体構成を示す正面断面図である。
【図５】本発明の実施形態に係るボール型収容品の全体構成を示す正面断面図である。
【図６】本発明の実施形態に係るボール型収容品の全体構成を示す正面断面図である。
【図７】本発明の実施形態に係るボール型収容品の全体構成を示す正面断面図である。
【図８】本発明の実施形態に係るボール型収容品の分割本体の全体構成を示す正面断面図である。
【図９】本発明の実施形態に係るボール型収容品の筒状嵌合部材の全体構成を示す斜視図である。
【図１０】本発明の実施形態に係るボール型収容品の全体構成を示す正面断面図である。
【図１１】本発明の実施形態に係るボール型収容品の全体構成を示す正面断面図である。
【図１２】本発明の実施形態に係るボール型収容品の全体構成を示す正面断面図である。
【図１３】本発明の実施形態に係るボール型収容品の全体構成を示す正面断面図である。
【図１４】本発明の実施形態に係るボール型収容品の分割本体の全体構成を示す正面断面図である。
【図１５】本発明の実施形態に係るボール型収容品の全体構成を示す正面断面図である。
【図１６】本発明の実施形態に係るボール型収容品の全体構成を示す正面断面図である。
【図１７】本発明の実施形態に係るボール型収容品の全体構成を示す正面断面図である。
【図１８】本発明の実施形態に係る密閉機構を備えた遊具の全体構成を示す正面図である。
【図１９】本発明の実施形態に係る密閉機構を備えた遊具の全体構成を示す正面図である。
【図２０】本発明の実施形態に係る密閉機構を備えた遊具の全体構成を示す正面図である。
【図２１】本発明の実施形態に係る密閉機構を備えた遊具の全体構成を示す正面図である。
【発明を実施するための形態】
【００１３】
（実施の形態１）
以下本発明の密閉機構１００及び該密閉機構１００を備えたボール型収容品１６０について説明する。図１は、本発明の実施形態に係るボール型収容品の全体構成を示す正面断面図である。図２は、本発明の実施形態に係る密閉機構の分割ボール本体の全体構成を示す正面図である。図３は、本発明の実施形態に係るリング部材の全体構成を示す正面図である。図４、図５、図６は、本発明の実施形態に係るボール型収容品の全体構成を示す正面断面図である。ただし、本発明に直接には関係しない各部の詳細は省略している。
【００１４】
本実施例の密閉機構１００は、球状のボールを分割した分割ボール本体と、リング袋１１０と、上記リング袋１１０に収容するリング部材１２０を備える。まず、ボールを２つに分割した形状の分割ボール本体を形成する。シートを溶着することにより分割ボール本体を形成することが出来る。射出成形により、分割した形状の分割ボール本体を形成してもよい。次に、シートを筒状に形成したリング袋１１０を上記分割ボール本体の内側下端部（内側開放端部）に取り付ける。シートを折り曲げることにより、リング袋１１０を内側下端部に形成した分割ボール本体を形成してもよい。若しくは、射出成型により、筒状のリング袋１１０を内側下端部に形成した分割ボール本体を形成してもよい。更に、上記リング袋１１０を分割ボール本体の外側下端部（外側開放端部）に取り付ける。これにより、図２に示すように、一方の分割ボール本体にはリング袋が内側開放端に設けられ、他方の分割ボール本体には、リング袋１１０が外側開放端に設けられる。なお、後述のように、上記リング袋１１０同士を嵌合することにより、上記分割ボール本体同士が連結するので、一方のリング袋１１０と分割ボール本体間に他方のリング袋１１０が挿入可能なように、上記リング袋１１０が取り付けられる。
【００１５】
そして、図３に示すテープ状の薄厚のリング部材１２０が上記リング袋１１０に挿入される。そして、上記リング部材１２０がリング袋１１０内でリング形状に屈曲する。ボール本体の外径が変わると（縮小、拡大）リング部材１２０のリング径も変わる（縮小、拡大）。上記リング部材１２０は屈曲可能な強度のある剛性素材が用いられる。高分子樹脂のようなある程度の硬度が必要である。図２に示す矢印のように、リング部材が伸び縮みすることで嵌合することで、分割ボール本体が密閉することになる。
【００１６】
上記のように、上記各分割ボールのリング袋１１０にリング部材１２０を挿入した状態で、上記分割ボール本体同士を嵌合する。すなわち、上記分割ボール本体の開放端同士を合わせた状態で、上記リング袋を内側に設けた分割ボール本体（以下内側分割ボール本体１３０）内に、上記リング袋を外側に設けた分割ボール本体（以下外側分割ボール本体１４０）のリング袋１１０を挿入する。そして、内側分割ボール本体１３０の開放端壁とリング袋１１０間に設けた隙間に、外側分割ボール本体１４０のリング袋を挿入する。もちろん、外側分割ボール本体１４０の開放端部とリング袋１１０間に設けた隙間に、内側分割ボール本体１３０のリング袋が挿入される。空気送入口１３２から送入される空気を例とする気体の内部圧力によりリング袋１１０内に挿入したリング部材１２０同士の重なり部がずれて、上記分割ボール本体同士が嵌合する。上記嵌合機構が本発明のボール密閉機構１００に相当する。
【００１７】
上記のように、分割ボール本体同士が嵌合することで、本発明のボール密閉機構１００を備えたボール型収容品１６０が形成される。上記分割ボール本体のいずれかの位置には空気送入口１３２が設けられる。上記空気送入口１３２から、空気が送入されることで、収容品に空気が充填する。もちろん空気以外の気体が充填されてもよい。
図４や図５に示すように本発明のボール密閉機構１００を備えたボール型収容品１６０はＬＥＤ１５５のような装飾品を収納することが可能である。例えば、予め上記分割ボール本体の内壁に孔を備えた複数の固定部材１５０を接着する。そして、上記固定部材１５０の孔を使用してＬＥＤ１５５の様な装飾部材を取り付けることが出来る。上記装飾部材を取り付けたのちに、上記エア密閉機構１００により収納品を密閉し、エアを充填することで、本発明のボール型収容品１６０が完成する。
【００１８】
若しくは、上記収容品１６０内にモータ１５７を例とする駆動手段を収納することで、該収容品自身を回転することが可能となる。モータの回転運動により収容品内の重心位置を変える。これにより、ボールが前進後退することになる。収容品１６０内の重心を回転する機構は公知の技術を使用する。図６では、おもり１５９を取り付けた棒部材が回転することで重心位置が変化する。上記駆動手段や、収容品１６０を回転する手段を取り付けたのちに、上記ボール密閉機構１００により分割ボール本体同士を密閉し、エアを充填することで、本発明のボール型収容品１６０が完成する。本発明のボール密閉機構１００はエアを充填可能であればボール以外の形状の収納品に適用可能である。例えば、遊具にも適用できるし、椅子、ベッド、机のような家具に適用できる。
【００１９】
（実施の形態２）
実施の形態１では分割ボール本体の内側及び外側に、上記リング袋１１０を取り付けた。本実施例では、分割ボール本体の内側同士にリング袋１１０を取り付けた状態で上記分割ボール本体同士を密閉する。リング袋１１０を内側同士に取り付ける以外の構成は実施の形態１と同じであるので、図示説明は省略される。図７は、本発明の実施形態に係るボール型収容品の全体構成を示す正面断面図である。図８は、本発明の実施形態に係る密閉機構の分割ボール本体の全体構成を示す斜視図である。図９は、本発明の実施形態に係るボール型収容品１６０で使用する筒状嵌合部材１７０の全体構成を示す斜視図である。図１０、図１１、図１２は、本発明の実施形態に係るボール型収容品の全体構成を示す正面断面図である。ただし、本発明に直接には関係しない各部の詳細は省略している。
【００２０】
ボールを２つに分割した形状の分割ボール本体を形成する。シートを溶着することにより分割ボール本体を形成することが出来る。射出成形により、分割した形状の分割ボール本体を形成してもよい。次に、シートを筒状に形成したリング袋１１０を上記分割ボール本体の内側下端部（内側開放端部）に取り付ける。シートを折り曲げることにより、リング袋１１０を内側下端部に形成した分割ボール本体を形成してもよい。若しくは、射出成型により、筒状のリング袋１１０を内側下端部に形成した分割ボール本体を形成してもよい。これにより、図８に示すように、内側開放端にリング袋１１０を設けた一対の分割ボール本体が形成される。なお、後述のように、上記リング袋１１０が嵌合することにより、上記分割ボール本体同士が連結するので、リング袋１１０と分割ボール本体間にリング袋１１０が挿入可能なように、上記リング袋が取り付けられる。
【００２１】
次に、筒状体１０８の上下開放端部に各リング袋１１０を設けることで、図９に示すような筒状嵌合部材１７０を形成する。筒状嵌合部材１７０の切れ込み１７２からリング部材１２０が挿入される。上記筒状嵌合部材１７０のリング袋１１０と、上記分割ボール本体のリング袋を嵌合することにより、上記分割ボール本体同士が連結するので、リング袋１１０と筒状体１０８間に、分割ボール本体のリング袋１１０が挿入可能なように、上記リング袋１１０が取り付けられる。
【００２２】
そして、テープ状の薄厚のリング部材１２０が上記リング袋１１０に挿入される。そして、上記リング部材１２０がリング袋１１０内でリング形状に屈曲する。ボール本体の外径が変わると（縮小、拡大）リング部材１２０のリング径も変わる（縮小、拡大）。上記リング部材１２０は屈曲可能な強度のある素材が用いられる。高分子樹脂のようなある程度の硬度が必要である。
【００２３】
上記のように、上記各分割ボールのリング袋１１０にリング部材１２０を挿入した状態で、上記分割ボール本体同士を嵌合する。すなわち、上記筒状嵌合部材１７０を収容した状態で、上記分割ボール本体の開放端同士を合わる。そして、リング袋１１０を内側に設けた分割ボール本体（内側分割ボール本体１３０）と、上記筒状嵌合部材１７０を嵌合する。内側分割ボール本体１３０のリング袋１１０が筒状嵌合部材の筒状体とリング袋間の隙間に挿入され、上記筒状嵌合部材のリング袋が、内側分割ボール本体の開放端壁とリング袋間に設けた隙間に挿入される。空気送入口１３２から送入される空気を例とする気体の内部圧力によりリング袋に挿入されたリング部材１２０同士の重なり部がずれて、上記分割ボール本体同士が嵌合する。上記嵌合機構が本発明のボール密閉機構１００に相当する。もちろん、上記筒状嵌合部材１７０の上下に設けたリング袋１１０が内側分割ボール本体１３０のリング袋と嵌合する。
【００２４】
上記のように、分割ボール本体同士が嵌合することで、本発明のボール密閉機構１００を備えたボール型収容品１６０が形成される。上記分割ボール本体のいずれかの位置には空気送入口１３２が設けられる。上記空気送入口１３２から、空気が送入されることで、収容品に空気が充填する。もちろん空気以外の気体が充填されてもよい。
図１０や図１１に示すように本発明のボール密閉機構１００を備えたボール型収容品１６０はＬＥＤ１５５のような装飾品を収納することが可能である。例えば、予め上記分割ボール本体の内壁に孔を備えた複数の固定部材１５０を接着する。そして、上記固定部材１５０の孔を使用してＬＥＤ１５５の様な装飾部材を取り付けることが出来る。上記装飾部材を取り付けたのちに、上記エア密閉機構１００により収納品を密閉し、エアを充填することで、本発明のボール型収容品１６０が完成する。
【００２５】
若しくは、上記収容品１６０内にモータ１５７を例とする駆動手段を収納することで、該収容品自身を回転することが可能となる。モータの回転運動により収容品内の重心位置を変える。これにより、ボールが前進後退することになる。収容品１６０内の重心を回転する機構は公知の技術を使用する。図１２では、おもり１５９を取り付けた棒部材が回転することで重心位置が変化する。上記駆動手段や、収容品１６０を回転する手段を取り付けたのちに、上記ボール密閉機構１００により分割ボール本体同士を密閉し、エアを充填することで、本発明のボール型収容品１６０が完成する。本発明のボール密閉機構１００はエアを充填可能であればボール以外の形状の収納品に適用可能である。例えば、遊具にも適用できるし、椅子、ベッド、机のような家具に適用できる。
【００２６】
（実施の形態３）
実施の形態２では分割ボール本体の内側に、上記リング袋を取り付けた。本実施例では、分割ボール本体の外側同士にリング袋を取り付けた状態で上記分割ボール本体同士を密閉する。リング袋を内側同士に取り付ける以外の構成は実施の形態２と同じであるので、図示説明は省略される。図１３は、本発明の実施形態に係るボール型収容品１６０の全体構成を示す正面断面図である。図１４は、本発明の実施形態に係る密閉機構の分割ボール本体の全体構成を示す正面図である。図１５、図１６、図１７は、本発明の実施形態に係るボール型収容品の全体構成を示す正面断面図である。ただし、本発明に直接には関係しない各部の詳細は省略している。
【００２７】
ボールを２つに分割した形状の分割ボール本体を形成する。シートを溶着することにより分割ボール本体を形成することが出来る。射出成形により、分割した形状の分割ボール本体を形成してもよい。次に、シートを筒状に形成したリング袋１１０を上記分割ボール本体の外側下端部（外側開放端部）に取り付ける。射出成型により、筒状のリング袋１１０を外側下端部に形成した分割ボール本体を形成してもよい。これにより、図１４に示すように外側開放端にリング袋１１０を設けた一対の分割ボール本体が形成される。なお、後述のように、上記リング袋１１０が嵌合することにより、上記分割ボール本体同士が連結するので、リング袋１１０と分割ボール本体間にリング袋１１０が挿入可能なように、上記リング袋１１０が取り付けられる。
【００２８】
次に、筒状体の上下開放端部に各リング袋１１０を設けることで、筒状嵌合部材１７０を形成する。上記筒状嵌合部材１７０のリング袋１１０と、上記分割ボール本体のリング袋１１０を嵌合することにより、上記分割ボール本体同士が連結するので、リング袋１１０と筒状体１０８間に、分割ボール本体のリング袋１１０が挿入可能なように、上記リング袋１１０が取り付けられる。
【００２９】
そして、テープ状の薄厚リング部材１２０が上記リング袋１１０に挿入される。そして、上記リング部材１２０がリング袋１１０内でリング形状に屈曲する。ボール本体の外径が変わると（縮小、拡大）リング部材のリング径も変わる（縮小、拡大）。上記リング部材１２０は屈曲可能な強度のある素材が用いられる。高分子樹脂のようなある程度の硬度が必要である。
【００３０】
上記のように、上記各分割ボールのリング袋にリング部材１２０を挿入した状態で、上記分割ボール本体同士を嵌合する。すなわち、上記分割ボール本体の開放端同士を合わせ、上記筒状嵌合部材１７０内に収容する。そして、リング袋１１０を外側に設けた分割ボール本体（外側分割ボール本体１４０）と、上記筒状嵌合部材１７０を嵌合する。外側分割ボール本体１４０のリング袋１１０が筒状嵌合部材１７０の筒状体１０８とリング袋１１０間の隙間に挿入され、上記筒状嵌合部材１７０のリング袋１１０が、外側分割ボール本体１４０の開放端壁とリング袋１１０間に設けた隙間に挿入される。空気送入口から送入される空気を例とする気体の内部圧力によりリング袋１１０に挿入されたリング部材１２０同士の重なり部がずれて、上記分割ボール本体同士が嵌合する。上記嵌合機構が本発明のボール密閉機構１００に相当する。もちろん、上記筒状嵌合部材１７０の上下に設けたリング袋１１０が内側分割ボール本体のリング袋と嵌合する。
【００３１】
上記のように、分割ボール本体同士が嵌合することで、本発明のボール密閉機構１００を備えたボール型収容品１６０が形成される。上記分割ボール本体のいずれかの位置には空気送入口が設けられる。上記空気送入口から、空気が送入されることで、収容品に空気が充填する。もちろん空気以外の気体が充填されてもよい。
図１５や図１６に示すように本発明のボール密閉機構１００を備えたボール型収容品１６０はＬＥＤ１５５のような装飾品を収納することが可能である。例えば、予め上記分割ボール本体の内壁に孔を備えた複数の固定部材１５０を接着する。そして、上記固定部材１５０の孔を使用してＬＥＤ１５５の様な装飾部材を取り付けることが出来る。上記装飾部材を取り付けたのちに、上記エア密閉機構１００により収納品を密閉し、エアを充填することで、本発明のボール型収容品１６０が完成する。
【００３２】
若しくは、上記収容品１６０内にモータ１５７を例とする駆動手段を収納することで、該収容品自身を回転することが可能となる。モータ１５７の回転運動により収容品内の重心位置を変える。これにより、ボールが前進後退することになる。収容品１６０内の重心を回転する機構は公知の技術を使用する。図１７では、おもり１５９を取り付けた棒部材が回転することで重心位置が変化する。上記駆動手段や、収容品１６０を回転する手段を取り付けたのちに、上記ボール密閉機構１００により分割ボール本体同士を密閉し、エアを充填することで、本発明のボール型収容品１６０が完成する。本発明の密閉機構１００はエアを充填可能であればボール以外の形状の収納品に適用可能である。例えば、遊具にも適用できるし、椅子、ベッド、机のような家具に適用できる。
【００３３】
（実施の形態４）
本発明の密閉機構をボール以外の商品に設けた一例を示している。例えば図１８に示すように、人形１８０に上記密閉機構を設けることが出来る。その他、図１９に示すような犬型遊具１９０や、図２０に示すドーナツ型遊具２００、図２１に示すように楕円形状の遊具２１０に上記密閉機構１００を設けることが出来る。もちろん、上記ボール以外の遊具内にも、ＬＥＤや、モータを収容することが可能である。
【産業上の利用可能性】
【００３４】
本発明は、密閉される収容物を分割した一対の分割本体とリング袋と、リング部材を備える密閉機構である。リング袋は、上記一対の分割本体の開放端部に設けられるリング形状の袋であり、リング部材は、上記リング袋内に挿入されるテープ状の部材である。そして、上記一対の分割本体に設けられるリング袋同士が嵌合連結することで、リング袋内のリング部材同士の重なり部がずれて、分割本体同士が密閉する。上記一対の分割本体をボール形状の分割ボール本体とすることができる。この機構によれば、予め形成した空気送入口から空気を送ることができる。従って、ＬＥＤのような装飾品を何度も交換可能な収容品を構成することができる。従って、その産業上の利用可能性は大きい。
【符号の説明】
【００３５】
１００    密閉機構
１１０    リング袋
１２０    リング部材
１３０    内側分割ボール本体
１４０    外側分割ボール本体
１６０    ボール型収容品
１７０    筒状嵌合部材
１５０    固定部材
１５５    ＬＥＤ（装飾部材）
【図１】
2015231487.tif 000003
【図２】
2015231487.tif 000004
【図３】
2015231487.tif 000005
【図４】
2015231487.tif 000006
【図５】
2015231487.tif 000007
【図６】
2015231487.tif 000008
【図７】
2015231487.tif 000009
【図８】
2015231487.tif 000010
【図９】
2015231487.tif 000011
【図１０】
2015231487.tif 000012
【図１１】
2015231487.tif 000013
【図１２】
2015231487.tif 000014
【図１３】
2015231487.tif 000015
【図１４】
2015231487.tif 000016
【図１５】
2015231487.tif 000017
【図１６】
2015231487.tif 000018
【図１７】
2015231487.tif 000019
【図１８】
2015231487.tif 000020
【図１９】
2015231487.tif 000021
【図２０】
2015231487.tif 000022
【図２１】
2015231487.tif 000023